(57)【要約】  ＷＬＡＮ等の無線通信システムの通信ステーションで実行されるべき測定を要求する装置及び関連方法が提供される。測定要求メッセージは要求ステーションで生成される。その測定要求メッセージは選択された測定タイプを識別するフィールドと、測定が為されるように要求されることになる持続期間を識別するフィールドとを含む。持続期間は強制的或は非強制的である。要求メッセージは通信ステーションと通信されて、そこで、そのメッセージが検出され、そこに含まれる値が識別される。メッセージが配送された通信ステーションで、要求された持続期間中に要求された測定を実行すべきかの選択が為される。もし要求された持続期間が非強制的であれば、通信ステーションは要求測定を実行することになるより短い長さの持続期間を選択することができる。【選択図】図１
2007536857.tif 000002
【特許請求の範囲】
【請求項１】
第１通信ステーションのための装置であって、該装置が、前記第１通信ステーションで実施されるメッセージ生成器を備え、前記メッセージ生成器が測定要求メッセージを生成し、前記測定要求メッセージが、測定の選択されたタイプを識別する測定タイプ・フィールドと第１測定持続期間を識別する第１持続長フィールドとを含むようにフォーマットされていることから成る装置。
【請求項２】
前記測定タイプ・フィールド及び前記第１持続長フィールドを、それぞれ、測定要求の前記選択されたタイプと第１測定持続期間とをそれぞれ識別する各値で占有するフィールド占有器を更に備える、請求項１に記載の装置。
【請求項３】
前記メッセージ生成器によって生成された前記測定要求メッセージの前記測定タイプ・フィールドが選択された長さである、請求項２に記載の装置。
【請求項４】
前記測定要求メッセージの前記測定タイプ・フィールドの前記選択された長さが、前記測定要求メッセージによって生成された前記測定要求メッセージの前記測定タイプ・フィールドを占有すべく、前記フィールド占有器によって使用される値の値長と少なくとも同じ大きさである、請求項３に記載の装置。
【請求項５】
前記第１通信ステーションが第２通信ステーションと通信すべく動作でき、前記メッセージ生成器によって生成された前記測定要求メッセージの前記第１持続長フィールドにおいて識別される前記第１測定持続期間が、前記第２通信ステーションによって実行されるべく、前記第１通信ステーションによって要求された前記測定タイプ・フィールドにおいて識別される前記測定の強制的持続長を含む、請求項２に記載の装置。
【請求項６】
前記第１通信ステーションが第２通信ステーションと通信すべく動作でき、前記メッセージ生成器によって生成された前記測定要求メッセージの前記第１持続長フィールドにおいて識別される前記第１測定持続期間が、前記第２通信ステーションで実行されるべく、前記第１通信ステーションによって要求された前記測定タイプ・フィールドにおいて識別される前記測定の非強制的持続長を含む、請求項２に記載の装置。
【請求項７】
前記メッセージ生成器によって生成された前記測定要求メッセージが、第２測定指定を識別するための第２持続長フィールドを含むように更に選択可能にフォーマットされ、前記フィールド占有器が、更に、前記第２持続長フィールドを前記第２測定指定を識別する値で選択可能に占有する、請求項６に記載の装置。
【請求項８】
前記メッセージ生成器によって生成された前記測定要求メッセージの前記第１持続長フィールドにおいて識別される前記第１測定持続期間が、前記第２通信ステーションで実行されるべく、前記第１通信ステーションによって要求された前記測定タイプ・フィールドにおいて識別される前記測定の持続長を含み、前記第２測定指定が、前記第１測定持続期間が前記第１通信ステーションによって命ぜられるかを指定する値である、請求項７に記載の装置。
【請求項９】
前記第２測定指定が、前記測定持続期間が前記第１通信ステーションによって命ぜられる際の第１値であり、そしてさもなければ他の値である、請求項８に記載の装置。
【請求項１０】
前記第２測定が、第２測定持続期間を含み、前記フィールド占有器によって前記第２持続長フィールド内に占有された前記第２測定持続期間の値が、前記フィールド占有器によって前記第１持続長フィールド内に占有された前記第１測定持続期間の値よりも小さな大きさである、請求項８に記載の装置。
【請求項１１】
前記第１測定持続期間の前記値が所望の持続期間を識別し、前記第２測定持続期間の前記値が最小持続期間を規定する、請求項１０に記載の装置。
【請求項１２】
前記第１通信ステーションで実施される応答検出器を更に含み、該応答検出器が前記測定要求メッセージに応じて前記第１通信ステーションに配送される応答を検出する、請求項１に記載の装置。
【請求項１３】
第１通信ステーションのための装置であって、該装置が、
前記第１通信ステーションで実施される測定要求メッセージ検出器であり、該測定要求メッセージ検出器が第１通信ステーションで測定要求メッセージの配送を検出し、前記測定要求メッセージが、測定の選択されたタイプを識別する値で占有された測定タイプ・フィールドと、第１測定持続期間を識別する値で占有された第１持続長フィールドと、を含むようにフォーマットされていることから成る測定要求メッセージ検出器と、
前記測定要求メッセージ検出器によって検出された測定要求メッセージの前記測定タイプ・フィールド及び前記第１持続長フィールドを占有する値の指示を受信することができる選択器であり、前記測定要求メッセージに応じて前記第１通信ステーションで実行を選択する該選択器と、
を備える装置。
【請求項１４】
前記測定要求メッセージが、前記第１持続長フィールドを占有する前記第１測定持続期間を識別する値が強制的であると解釈されるかを識別する値で占有された持続強制フィールドを含むように更にフォーマットされており、前記選択器が、前記第１測定持続期間が強制的であると解釈されると、前記第１測定持続期間に対する測定の前記選択されたタイプを実行するかを更に選択する、請求項１３に記載の装置。
【請求項１５】
前記測定要求メッセージが、前記第１持続長フィールドを占有する前記第１測定持続期間を識別する値が強制的であると解釈されるかを識別する値で占有された持続強制フィールドを含むように更にフォーマットされており、前記選択器が、前記第１測定持続期間が非強制的であると決定されると、変更された測定持続期間に対する測定の前記選択されたタイプを実行すべく更に選択する、請求項１３に記載の装置。
【請求項１６】
前記選択器によって為された選択の指定を受信することができる選択応答メッセージ生成器を更に備え、該選択応答メッセージ生成器が前記選択器によって為された前記選択を表す選択応答メッセージを生成する、請求項１３に記載の装置。
【請求項１７】
前記選択応答メッセージによって生成された前記選択応答メッセージが、前記第１通信ステーションで請け負われた測定の前記選択されたタイプの測定の実際の持続期間を識別する値で占有された測定持続時間フィールドを含む、請求項１６に記載の装置。
【請求項１８】
前記測定要求メッセージを遠隔通信ステーションに送信して、前記遠隔通信ステーションで実行されるべく測定の前記選択されたタイプを要求する動作を更に含む、請求項１６に記載の方法。
【請求項１９】
前記第１通信ステーションが遠隔通信ステーションと通信すべく動作でき、生成の前記動作中に生成された前記測定要求メッセージの前記第１持続長フィールドにおいて識別される前記第１測定持続期間が、前記遠隔通信ステーションで実行されるべく、前記第１通信ステーションによって要求された前記測定タイプ・フィールドにおいて識別される前記測定の強制的持続長を含む、請求項１６に記載の方法。
【請求項２０】
前記第１通信ステーションが遠隔通信ステーションと通信すべく動作でき、生成の前記動作中に生成された前記測定要求メッセージの前記第１持続長フィールドにおいて識別される前記第１測定持続期間が、前記遠隔通信ステーションで実行されるべく、前記第１通信ステーションによって要求された前記測定タイプ・フィールドの非強制持続長を含む、請求項１６に記載の方法。
【請求項２１】
前記選択された測定を形成すべく前記測定を選択する動作を更に含む、請求項１６に記載の方法。
【請求項２２】
第１通信ステーションのための装置であって、該装置が、前記第１通信ステーションで実行される、選択されたメッセージ・タイプとその選択メッセージ・タイプの測定が実行されることになる実際の持続期間とについての、測定の値の指示を受信することができる応答メッセージ生成器を備え、前記測定が、選択された測定持続期間中の前記選択された測定タイプの前記第１通信ステーションでの測定を要求する測定要求を要求する測定要求の配送に応じて前記第１通信ステーションで実行されており、前記選択された測定持続期間が非強制的であり且つ前記選択された測定持続期間が前記選択された測定タイプの測定を請け負うべく第１通信ステーションで無効である場合、値の前記実際の持続期間が前記選択された測定持続期間と異なっていることから成る装置。
【発明の詳細な説明】
【技術分野】
【０００１】
本発明は、全般的には、ＩＥＥＥ ８０２．１１通信規格の変形の動作プロトコルと順応して動作できるワイヤレス・ローカル・エリア・ネットワーク等の無線通信システムにおいて、通信を促進すべく使用される無線リソース情報の測定を促進するための方式に関する。より詳細には、本発明は、無線通信システムにおいて動作する無線ステーションによって測定された無線リソース測定情報を要求して獲得するための装置及び関連方法に関する。
【０００２】
測定要求は第１通信ステーションで生成されて、第２通信ステーションに送信され、そこで測定が実行されることになる。この測定要求は要求されている測定のタイプと、測定が為されるべく要求される測定期間とを識別する。その測定期間は、選択可能に、強制的であるか或は推奨される。第２通信ステーションへ配送されると、その測定が要求で示された全期間に対して為され得るかが決定される。もしそうであれば、測定が実行される。そしてもしそうでなければ、その測定要求が選択された期間を命じるか否かに依存して、或は、より短い期間中の測定が十分であるかに依存して、要求された測定をより短い期間中に実行すべきかが更に決定される。
【背景技術】
【０００３】
通信テクノロジーにおける進歩は、新タイプの通信システムの開発、インストール、並びに、使用を許容してきた。それらの使用は現代社会の特有の局面であり、データ通信を仲介するそうした通信システムの使用は大多数にとって実用的に不可欠である。
【０００４】
こうした進歩は、例えば、無線通信システム内に組み込まれてきた。無線通信システムにおいて、その中で動作可能である複数の通信ステーションを相互接続する通信チャネルは有線接続上よりもむしろ無線リンク上に形成される。無線リンクは利用されて、その上に通信チャネルを形成しているので、従来の有線通信システムの複数の通信チャネル間に従来の有線接続を設定する必要性が回避されている。通信システムの送信及び受信のステーションの間に有線接続を形成する必要性を免除された無線通信システムは、複数の通信ステーションの間の有線接続の形成が可能ではない複数個所の間での通信を許容している。加えて、無線通信システムは、１つ或はそれ以上の通信ステーションが通信移動性を具備しているモバイル通信システムとして具現化の責務を負っている。
【０００５】
多くの通信システムはディジタル通信テクノロジーを活用している。ディジタル通信テクノロジーの使用は、アナログ通信テクノロジーの使用を介して通信されるときよりも、より効率的にデータを通信させることを可能としている。無線通信システムは、典型的には、帯域幅が抑制されている。換言すれば、無線通信システムには、典型的には、無線チャネルを規定することになる限定された帯域幅割り当てだけが設けられている。それ故に一般的には、特に無線通信システムにおいて、それに割り当てられたスペクトルを効率的な方式で利用して、それによって通信システムの通信能力を最大化する必要がある。ディジタル通信テクノロジーを利用する通信システムにおいて通信される情報はディジタル化されている。１つの共通テクノロジーにおいて、ディジタル化情報は選択されたパケット・フォーマッティング方式に従ったパケットにフォーマットされる。そして、それらパケットは通信を達成すべく通信される。パケットから成る個々別々のもの或はグループは個別的な間隔でしばしば通信される。ひとたび受信ステーションに配送されると、データ・パケットは順々に配列されて、全体的に鎖状につなげられる。そして、通信されたデータの情報内容は回復させられる。
【０００６】
パケット-フォーマットされたデータを利用する通信システムは従来のＬＡＮ（ローカル・エリア・ネットワーク）を含む。有線ＬＡＮと類似の方式で動作するワイヤレス・ネットワークも開発されてきた。そして、ＷＬＡＮ（ワイヤレス・ローカル・エリア・ネットワーク）として呼称されるこれらワイヤレス・ネットワークは、無線リンク上に規定された無線チャネルによってデータ・パケットを通信すべく利用され、それによって通信セッションへの団体である通信ステーションの間の通信を達成する。
【０００７】
他のタイプの通信システムと共に、ＷＬＡＮは、しばしば、ＩＥＥＥ（電気電子技術者学会）８０２．１１動作規格の変形に順応して動作できるように構成されている。動作プロトコルの種々の局面は動作規格内における含有に対する考慮を経験する。
【０００８】
例えば、無線リソース測定手続きに関連された提案は請求され動作規格における包含に対して考慮される。無線リソース管理動作は様々な測定パラメータの測定を通じて促進される。そして、改善された無線リソース管理を促進することによって、通信システムにおける改善された通信動作が可能である。
【０００９】
動作規格の既存の公表において、無線リソース測定を要求或は通信することになる方式と関係するプロトコルは指定解除される。無線リソース測定は、しばしば、ＷＬＡＮの一方の通信ステーションによって実行されるべきＷＬＡＮの他方の通信ステーションによって要求される。例えば要求は、測定を為すべく、モバイル・ステーションに対するそのモバイル・ステーションの固定ネットワーク・アクセス・ポイントによって為される。そして、測定はアクセス点によって為されるべく、モバイル・ステーションによってしばしば要求される。そして、しばしばの要求は無線リソース測定を為すべく、別のモバイル・ステーションに対する他方のモバイル・ステーションで為される。
【００１０】
幾つかの測定値は、測定の持続時間が知られると、重要であるか、或は、重要性が増大されている。換言すれば、測定期間は測定値と規則正しく関連されている。そして意味を持つべく測定値に対して、その測定値は少なくとも指定された期間にわたって測定されなければならない。無線信号強度測定値はある期間にわたって平均化されて、信号強度レベルのより良好なサンプリングを獲得する。他の測定値もある期間にわたって測定された際に同じように有用性が増大されている。それ故に、無線リソース測定要求は、為されるべきである測定だけでなく、期間、即ち、測定が為されるべき期間である持続時間を指定すべきである。
【００１１】
測定値の測定品質が、より長い測定期間にわたって測定されると、一般的には増大される一方で、測定を為すべく測定が為される通信ステーションの有効性は限定され得る。もし要求された測定期間が許容できない程に長ければ、測定が為されるべき通信ステーションは測定を実行しないように選択する。換言すれば、もし要求ステーションが過剰に長い測定持続時間にわたって値の測定に対する測定要求を為せば、被要求ステーションはその要求に応ずることができず、その測定要求を拒絶する。
【００１２】
もし測定要求が拒絶されれば、引き続く要求がより短い長さの測定期間を識別する要求通信ステーションによって為され得る。そしてその被要求通信ステーションは、そのより短い長さの測定にわたって測定を実行すべきか否かを選択する。その手続きの多数の反復は、許容できる測定期間中に測定を実行する選択に先行して実行され得る。この試み及び過誤手続きは本質的には非効率的、リソース消費的、並びに、時間消費的である。
【００１３】
改善された無線リソース測定手続きは、それ故に、必要とされる。
【００１４】
無線通信システムにおける無線リソース測定と関係されたこの背景情報の観点から、本発明の重要な改善が発展した。
【発明の開示】
【発明が解決しようとする課題】
【００１５】
従って、本発明は、ＩＥＥＥ８０２．１１通信規格の変形に順応して動作できるワイヤレス・ローカル・エリア・ネットワーク等の無線通信システムにおいて通信を促進すべく使用される無線リソース情報の測定を促進することになる装置と関連された方法とを有益性をもって提供する。
【００１６】
本発明の一実施例の動作を通じて、無線通信システムにおいて動作する通信ステーションによって測定される無線リソース測定情報を要求し獲得する方式が提供される。
【課題を解決するための手段】
【００１７】
本発明の一局面において、測定要求は第１ステーション、即ち要求ステーションで生成されて、第２通信ステーション、即ち被要求ステーションに送信されて、そこで測定が実行されることになる。要求ステーションで生成されたその測定要求は被要求ステーションで実行されるべく要求される測定のタイプを識別すると共に、その測定が為されるべく要求される測定期間をも識別する。
【００１８】
要求通信ステーションによって生成された測定要求において識別される測定期間は、強制的或はボリティブ(bolitive)、即ち非強制的である。その識別された測定期間が強制的である場合、被通信ステーションが要求された測定を実行しようとする測定期間の持続時間は要求ステーションによって命ぜられる。もし被要求ステーションがその識別された測定期間中に要求された測定を実行できなければ、その測定期間要求を強制的と為すことによって要求ステーションは、当該要求ステーションが、もし被要求通信ステーションが要求された測定期間の全体の間にその測定を実行することができないのであれば、強制的で要求された測定期間において、指定されたものよりもより短い時間期間にわたって測定された測定結果を利用することを望まないことを示す。逆に、もしその要求において識別された測定期間が非強制的であって、推奨のみされるものであれば、被要求通信ステーションは、もし要求された測定期間の全体の間に要求された測定を実行できなければ、より短い長さの測定期間中に要求された測定を選択可能に実行する。
【００１９】
本発明の別の局面において、要求ステーションによって生成された測定要求を含むメッセージが被要求通信ステーションに配送され、そして該被要求通信ステーションで検出されると、その通信ステーションは要求された測定のタイプを確認すると共に、要求された測定期間をも確認する。そして、被要求通信ステーションは、その要求された測定期間が強制的であるか或は推奨されるものであるかを確認する。要求された測定が実行され得るものか、そしてその要求された測定が要求された測定期間中に実行され得るものかの決定がその通信ステーションで為される。
【００２０】
被要求通信ステーションが要求された測定期間の全体にわたってその要求された測定を実行そして選択する場合、通信ステーションは要求された測定持続期間の全体と対応する、測定間隔にわたって測定された要求された測定を実行する。しかしながらもし、被要求通信ステーションが要求された測定期間の全体にわたってその要求された測定を実行できず、そして選択しなければ、要求通信ステーションが要求されたものよりも短い期間中に実行される測定を許容するかが付加的に決定される。換言すれば、その通信ステーションは、測定要求メッセージに含まれる要求された期間が強制的であるか或は非強制的であるかを決定する。もしその測定期間が強制的であれば、その通信ステーションは測定要求を拒絶して、要求された測定を実行しない。一具現化例において、拒絶メッセージは要求通信ステーションに更に戻される。しかしながらもし、要求された測定期間が非強制的であれば、被要求通信ステーションはその被要求通信ステーションが要求された測定を実行できるのはどのような期間であるかを更に決定する。そして、もし被要求通信ステーションがより短い期間中に要求された測定を実行できれば、被要求通信ステーションはその有効期間中に要求された測定を実行することを選択する。
【００２１】
本発明の更なる局面において、測定が為される場所である通信ステーションは、被要求通信ステーションによって為される測定について報告する要求通信ステーションへの復帰のために測定報告を生成する。もし測定持続時間が要求された測定期間より短ければ、測定が為される測定期間の持続時間の指示等の、反応メッセージ内に、付加的な情報が選択可能に更に識別される。
【００２２】
一具現化例において、ワイヤレス・ローカル・エリア・ネットワーク等のＩＥＥＥ８０２．１１動作仕様の変形に全般的には順応して動作可能である無線通信システムにおいて、測定が要求されて実行される。ＷＬＡＮにおいて固定された下部組織は、モバイル・ステーションが通信するアクセス・ポイントとしてしばしば呼称される固定サイト・トランシーバを含む。アクセス・ポイント及びモバイル・ステーションの各々は要求ステーショを形成することできる。またアクセス・ポイント及びモバイル・ステーションの各々は被要求ステーションをも形成することができる。アクセス・ポイントが要求ステーションを形成すると、要求メッセージがアクセス・ポイントで生成されて、被要求ステーションを形成するモバイル・ステーションと通信する。測定動作はモバイル・ステーションで選択可能に実行され、そして、もし測定動作がモバイル・ステーションで実行されれば、応答メッセージがアクセス・ポイントへの復帰のために生成される。モバイル・ステーションが要求ステーションを形成すると、要求メッセージがそこで生成されて、アクセス・ポイント或は別のモバイル・ステーションの何れかである被要求ステーションと通信される。そして、被要求ステーションを形成する通信ステーションは要求された測定を選択可能に実行して、少なくとも被要求ステーションが要求された測定を実行する場合に、応答メッセージを戻す。
【００２３】
メッセージ要求は、測定期間が強制的であるかを指定する。或は逆に、そのメッセージは、要求された測定期間が非強制的測定期間であることを指定する。もし非強制的であれば、被要求ステーションは短縮された測定期間中にその要求された測定を実行でき、被要求ステーションは短縮期間中に測定を実行するだけか、或は、該測定を実行すべく選択だけを為すことができる。要求ステーションに付加的なシグナリングをする必要性無しに、被要求ステーションで選択が為され、無線リソース測定手続きに従って必要とされるオーバーヘッドシグナリングを低減し、それによって、もし要求された持続期間が被要求ステーションによって実行されなければ、測定の持続時間を選択すべく必要とされる時間を低減する。
【００２４】
それ故に、以上の局面や他の局面において、装置及び関連方法が第１通信ステーションに対して提供される。メッセージ生成器は第１通信ステーションで実施される。このメッセージ生成器は測定要求メッセージを生成する。その測定要求メッセージは、測定の選択されたタイプを識別するための測定フィールドと第１測定持続期間を識別するための第１持続長フィールドとを含むべくフォーマットされる。フィールド占有器は、測定の選択されたタイプと第１測定持続期間とを識別する値で測定要求メッセージの測定タイプ・フィールドと第１持続長フィールドとを占有する。
【００２５】
本発明のより完全な理解とその範囲とは以下に簡潔に要約された添付図面、本発明の現行での好適実施例の以下の詳細な記載、並びに、特許請求の範囲から獲得され得る。
【発明を実施するための最良の形態】
【００２６】
先ず図１を参照すると、全般的１０で示される無線通信ステーションは、その内のモバイル・ステーション１２で表される複数のモバイル・ステーションとの無線通信用に提供されている。例示的な具現化例において、無線通信システムはＩＥＥＥ８０２．１１動作仕様の変形に順応して全般的に動作するワイヤレス・ローカル・エリア・ネットワーク（ＷＬＡＮ）を形成する。ワイヤレス・ローカル・エリア・ネットワークにおいて、アクセス・ポイントと呼称されて、ＷＬＡＮのネットワーク下部組織の部分を形成する固定サイト無線トランシーバによって、モバイル・ステーションとの通信が達成される。通信ステーション１４は、ワイヤレス・ローカル・エリア・ネットワークの例示的なアクセス・ポイントを表している。
【００２７】
より一般的には、無線通信システムは、無線チャネルによって相互接続された通信ステーション間でデータが通信されている様々なタイプの通信システムの内の任意のものを表している。従って、以下の記載はワイヤレス・ローカル・エリア・ネットワークにおける具現化に対する本発明の実施例の例示的動作を記載している一方で、理解して頂きたいことは、本発明の教示が他の構造の通信システムにおいて類似的に具現化可能であると共に、他の動作規格に従って動作可能である。
【００２８】
データがその上で通信される無線チャネルは、通信ステーション１２及び１４の間に延在している無線エアーインターフェースによって規定されている。ここで矢印１６は無線チャネルを表し、その上でデータが通信動作中に通信ステーションによって通信されている。
【００２９】
通信ステーションの各々、即ち、モバイル・ステーション及びアクセス・ポイントは通信データを送受信するための無線トランシーバ回路を含む。モバイル・ステーションの無線トランシーバ回路は、ここでは、受信部１８及び送信部２２によって表現されている。そして、アクセス・ポイントの無線トランシーバ回路は、ここでは、受信部２４及び送信部２６によって表現されている。第２の例示的モバイル・ステーション１２も、受信部１８及び送信部２２によって表現された無線トランシーバ回路を含むように表現されている。通信システムの通信ステーションのトランシーバ回路は、ＩＥＥＥ８０２．１１動作仕様において上述されたプロトコル及びパラメータと一般的に順応して動作できる。換言すれば、通信システムのネットワーク下部組織部で発せられるか或は該ネットワーク下部組織部に提供される通信データは、アクセス・ポイントの送信部によってモバイル・ステーション１２の適切な１つ或はそれ以上に向かって送信される。そして、モバイル・ステーションの受信部は、そこに通信されるデータを検出して、該データに対して動作すべく動作する。同じように、モバイル・ステーションで発せられた通信データは、通信のために、その送信部によってアクセス・ポイント１４に送信される。そして、アクセス・ポイントの受信部は、そこに送信された通信データを検出して、該通信データに対して動作すべく動作する。複数のモバイル・ステーションから成る集合も通信エンド・ポイントを形成できる。即ち、１つのモバイル・ステーションで発せられた通信データは別のモバイル・ステーションで終了される。従来のＷＬＡＮにおいて、モバイル・ステーション間で通信された通信データはネットワーク下部組織によって通信される。
【００３０】
先行して述べたように、様々な無線リソース指定の測定は、無線リソース管理を促進して、通信システムにおける通信動作の改善を許容する。無線リソース測定を要求し達成することになる現存の機構及び手続きは、シグナリングオーバーヘッド及び時間遅延の好ましくない高いレベルで影響を受けやすい。本発明の実施例に従えば、通信システム１０の通信ステーション１２及び１４は装置３２を含み、該装置が、無線リソース測定動作を促進して、その無線リソース測定が従来の方式を用いるよりもより適時に且つ潜在的にはより劣ったシグナリングオーバーヘッド強度である方式で為されことができるように為す。この装置は、処理回路によって実行可能なアルゴリズムによって等、任意の所望方式で機能的には表現され具現化可能である。
【００３１】
図中に表現された装置３２は、通信ステーション毎に実施される装置が無線リソース測定要求の生成を許容している例示的具現化例である。そして、それら通信ステーション毎に実施される装置は、無線リソース測定要求の受け入れ、拒絶、或は、変更を為すこともできる。他の具現化例における装置の要素的な部分は装置３２を構成する。換言すれば、簡略化具現化例において、装置３２は要求を生成する要素的部分或は要求を検出してそれに動作する要素的部分を含む。
【００３２】
従って、ここでは、アクセス・ポイント１４で実施される装置３２は、無線リソース測定要求を形成すべく動作する要素３４と、無線リソース測定要求を検出してそれに対して動作すべく動作する要素３６との双方を含む。そして、モバイル・ステーション１２で実施される装置３２も要素３４及び３６を含む。アクセス・ポイント１４で実施される要素３４は、モバイル・ステーション或は別のアクセス・ポイント（図面上に示されていない）等の、どこか別の場所で実施される要素３６と共同して動作する。そして、アクセス・ポイント１４で実施される装置３２の要素３６は、モバイル・ステーション或は別のアクセス・ポイント（図面上に示されていない）等の、どこか別の場所で生成されてアクセス・ポイント１４に配送された要求を検出する。モバイル・ステーションで実施される装置３２の要素３４及び３６は、どこか別の場所に位置決めされた関連要素と共同して同じように動作できる。換言すれば、モバイル・ステーション１２で実施される装置３２の要素３４は、アクセス・ポイント１４によって、アクセス・ポイント１４或は別のモバイル・ステーション１２等の別の箇所に送信するための無線リソース要求メッセージを形成させる。そして、モバイル・ステーションで実施される装置３２の要素３４は、別の場所からモバイル・ステーション１２に通信された要求を検出して、それに対して動作すべく動作する。
【００３３】
図２は、図１に示された通信システム１０の複数の通信ステーションから成る集合を図示している。１２／１４で示された通信ステーションは、図中に示される通信ステーション各々のようにモバイル・ステーション或はアクセス・ポイントの何れかを表現している。（図示のような）最左翼の通信ステーションは要求ステーションを形成し、（図示のような）最右翼の通信ステーション被要求ステーションを形成する。要求ステーションは本発明の実施例の装置３２を含み、被要求ステーションも本発明の実施例の装置３２を含む。そして、また矢印１６は、通信ステーション間に形成された無線エアーインターフェース上に規定された無線チャネルを表している。
【００３４】
通信システムの動作中、無線リソースのパラメータ或は指定の測定が遠隔ステーション、即ち被要求ステーションで為されるべきであると云う決定が要求ステーションで為されるか、或は、その決定が要求ステーションに提供され、要素３４は無線リソース要求メッセージを生成させる。要素３４はメッセージ生成器４２を含み、それが、とりわけ、要求されている測定のタイプを識別するフィールドと要求された測定が為されることになる持続期間を識別するフィールドと、を含む測定要求メッセージを生成する。そして、その要素は、要求された測定とその要求された持続時間とを識別する値で、要求メッセージのフィールドを占有するフィールド占有器４４を含む。要求された持続時間は、強制的持続時間或は被強制的であるが推奨される持続時間の何れかである。ひとたび形成されて値で占有されたならば、要求メッセージは送信部２２／２６に提供され、そのメッセージは被要求ステーションへの配送のために要求ステーションによって通信されるように為される。被要求ステーションと通信された測定要求メッセージは、被要求ステーションで為されるように要求される測定のタイプと、選択可能に強制的或は非強制的な持続時間である測定が要求されることになる持続期間との双方を識別する。
【００３５】
メッセージは被要求ステーションの受信部１８／２４に配送されて、そこで動作される。被要求ステーションで実施される装置３２の検出器３６は受信部と結合される。この検出器３６は、測定要求メッセージのフィールドを占有する値を検出すべく動作する。そして、検出器３６は、該検出器３６の動作中に検出された値の指示を受信すべく結合された選択器５２をも含む。この選択器は、要求メッセージにおいて識別された持続期間に対する要求メッセージ内で要求された測定を実行するかを選択すべく動作する。選択は、例えば、被要求ステーションで実行されなければならない他の動作に基づいて為される。例えば、被要求ステーションは、持続期間における測定の実行中の動作の通常の送受信を実行する容量を有していない可能性がある。もし選択が要求された持続時間の全持続時間に要求された測定を実行しないように為されたならば、要求された期間が強制的期間であるか、或は、要求された持続期間がボリティブ(bolitive)、即ち推奨されるかを、選択器が更に決定する。
【００３６】
もし持続期間が推奨されれば、選択器は、要求された測定がより短い期間に実行されることを選択するかを更に決定する。一具現化例において、要求メッセージの持続期間は、測定持続期間が非強制的である際、推奨された測定期間と要求ステーションを受け入れることができる最小測定期間を識別する最小測定期間との双方を識別する。要求メッセージは両値を含むとき、要求された測定を実行することになるより短い持続期間の決定及び選択において選択器はそれら値を考慮する。何れにしても、持続時間が非強制的であるとき、選択器は要求された測定を実行することになるより短い長さの持続期間を選択することができる。もし選択がより短い長さの測定期間中に要求された測定を実行すべく為されれば、選択器はその測定を低減された持続期間の選択された測定期間の間に実行させる。
【００３７】
線５４は選択器によって生成された命令を表し、受信部或は送信部等の被要求ステーションの各種部分の動作を行わせて、要求された測定を実行させる。そして、ひとたび測定が為されたならば、リポート生成器５６は、要求ステーションへの復帰のための測定リポートを生成する。リポート・メッセージ生成器も、一具現化例において、要求された測定が被要求ステーションで実行されない場合に、要求ステーションへの復帰のための要求拒否メッセージを生成する。そして、更なる具現化例において、リポート・メッセージが生成されると、そのリポート・メッセージも要求された測定が為されることになる測定期間の持続長を識別する持続期間を指定する。
【００３８】
応答メッセージ或は拒絶指示は送信部２２−２６に提供され、無線エアーインターフェース上で規定された無線チャネルによって要求ステーションへ復帰させられる。
【００３９】
応答メッセージは受信部１８／２４によって動作される要求ステーションに配送され、応答メッセージ検出器３６はその応答の値に対して動作する。
【００４０】
装置３２は、要求された測定を選択された無線リソース指定の被要求ステーション測定に要求する方式を提供する。測定期間が非強制的である場合、そして、被要求ステーションが要求された測定期間の全持続時間の間に要求された測定を実行できない場合、要求ステーション及び被要求ステーションの間での付加的なシグナリング無しに、被要求ステーションはより短い長さの測定期間を選択することができる。そうした動作に従って従来必要とされたシグナリングオーバーヘッドの低減されたレベルと時間遅延とが提供される。
【００４１】
図３は、本発明の実施例の動作に従った、図１及び図２で示された、無線通信システム１０の動作中に生成されたシグナリングを表す、７２で全般的に示されるメッセージ・シーケンス線図を図示している。通信ステーションは、再び、モバイル・ステーション或はアクセス・ポイントの何れかが要求ステーションを形成し、そしてアクセス・ポイント或はモバイル・ステーションの何れかが被要求ステーションを形成している、要求ステーション及び被要求ステーション１２／１４に関して表現されている。
【００４２】
第１として、そしてブロック７４で指定されているように、どの測定を要求するか、そしてどの程度の期間を要求された測定が為されることで要求するかが選択される。持続期間が強制的期間を形成するか或は推奨期間を形成するか否かついて更に選択される。要求メッセージは生成されてから、線分７６によって示されるように、被要求通信ステーションに送信される。ひとたび被要求通信ステーションに配送されたならば、その要求メッセージに含まれる値はブロック７８によって示されるように検出され、ブロック８２によって示されるように、要求された測定を実行すべきかを選択し、そして、もしそうであれば、どの程度の持続期間中かを選択する。要求された測定を実行するかの選択は、少なくとも部分的には、要求された持続期間の全長の間に要求された測定を実行すべく、被要求ステーションで有効なリソースに依存する。もし被要求ステーションが要求された持続期間の全持続時間の間に要求された測定を実行できなければ、より短い長さの持続期間がもし可能であれば選択される。換言すれば、もし要求された測定持続期間が非強制的であり且つ、より短い長さの持続期間の間に要求された測定を実行すべく、リソースが被要求ステーションで有効であれば、そのより短い長さの持続期間中にその測定を実行すべく選択が為される。もしその要求された測定を実行すべく選択が為されれば、ブロック８４によって示されるようにその測定が実行され、応答メッセージ、即ち、線分８６によって示されるように、測定リポートが作り出されて要求ステーションに戻される。要求された測定が実行されない場合、ブロック８４で測定は何等為されず、応答８６がその要求の拒否である。
【００４３】
図４は、本発明の実施例の動作の方法を表す、９２で全般的に示された方法フロー線図を図示している。この方法は第１通信ステーションで遠隔測定情報を獲得するものである。
【００４４】
第１として、そしてブロック９４によって示されるように、測定要求メッセージが生成される。この測定要求メッセージは測定タイプ・フィールド及び第１持続長フィールドを含むようにフォーマットされている。測定タイプ・フィールドは測定の選択されたタイプを識別するものである。そして、第１持続長フィールドは第１測定持続期間を識別するものである。
【００４５】
次いで、ブロック９６に示されるように、測定タイプ・フィールド及び第１持続長フィールドは測定の選択されたタイプと第１測定持続期間とを識別する値で占有されている。次いで、ブロック９８によって示されるように、要求メッセージが第２通信ステーションに送信され、そこで、その要求メッセージで要求された測定が選択された測定期間中に選択可能に実行される。
【００４６】
しばしば測定要求と関連されるシグナリングオーバーヘッド及び時間遅延は従来方式であり、回避される。
【００４７】
先行する記載は本発明を具現化する好適な例であり、本発明の範囲は必ずしもこの記載で限定されるべきではない。本発明の範囲は特許請求の範囲によって規定される。
【図面の簡単な説明】
【００４８】
【図１】図１は、本発明の実施例が動作できる例示的な無線通信システムの機能ブロック線図を図示している。
【図２】図２は、本発明の実施例が展開される通信ステーションの集合の機能ブロック線図を図示している。
【図３】図３は、本発明の実施例に従って、図１に示された無線通信システムの動作中に生成されるシグナリングを表現するメッセージ・シーケンス線図を図示している。
【図４】図４は、本発明の実施例の動作の方法を挙げている方法フロー線図を図示している。
【図１】
2007536857.tif 000003
【図２】
2007536857.tif 000004
【図３】
2007536857.tif 000005
【図４】
2007536857.tif 000006
【国際調査報告】
2007536857.tif 000007
2007536857.tif 000008
2007536857.tif 000009